(57)【特許請求の範囲】
【請求項１】
取付部と、
画像を投写する本体部と、
前記取付部と前記本体部とを連結し、前記画像の投写位置を変更可能に前記本体部を支持する支持部と、
前記取付部に設けられ、前記画像の投写位置の基準となる画像を表示する基準画像表示部と、
を有するプロジェクター。
【請求項２】
前記取付部は、前記本体部に電力を供給する電源部を有する請求項１に記載のプロジェクター。
【請求項３】
前記基準画像表示部は線状の画像を表示し、
前記基準画像表示部が表示した前記線状の画像の長さは、前記本体部が投写した前記画像の幅より長い請求項１又は請求項２に記載のプロジェクター。
【請求項４】
前記基準画像表示部は、前記取付部に対して脱着可能である請求項１〜３のいずれか一項に記載のプロジェクター。
【請求項５】
前記基準画像表示部は、前記画像の投写位置の基準となる画像が表示される位置を鉛直方向へ移動可能である請求項１〜４のいずれか一項に記載のプロジェクター。
【請求項６】
前記基準画像表示部は、前記線状の画像の水平方向に対する傾きを変更可能である請求項３に記載のプロジェクター。
【請求項７】
前記基準画像表示部は、交差した線状の画像を表示することを特徴とする請求項１〜６のいずれか一項に記載のプロジェクター。
【請求項８】
前記支持部は、前記画像の鉛直方向の投写位置を変更可能に前記本体部を支持する請求項１〜７のいずれか一項に記載のプロジェクター。
【請求項９】
前記支持部は、前記画像の水平方向の投写位置を変更可能に前記本体部を支持する請求項１〜８のいずれか一項に記載のプロジェクター。
【請求項１０】
前記支持部は、前記画像の傾きを変更可能に前記本体部を支持する請求項１〜９のいずれか一項に記載のプロジェクター。
【発明の詳細な説明】
【技術分野】
【０００１】
本発明は、プロジェクターに関する。
【背景技術】
【０００２】
投写する画像の傾きを補正するための発明として例えば特許文献１に開示された据置型の表示装置がある。この表示装置は、直交したＯＳＤ基準線をＯＳＤで表示する。また、この表示装置は、角度センサで重力場に対する表示装置の傾きを検出し、傾きと反対方向にずらして角度センサ基準線を表示する。ＯＳＤ基準線と角度センサ基準線が重なるようにユーザーが上下角調整用のアジャスターと左右角調整用のアジャスターを調整すると、表示装置が水平となり、傾きが補正された画像が投写されることとなる。
【先行技術文献】
【特許文献】
【０００３】
【特許文献１】特開２００５−３３８２１０号公報
【発明の概要】
【発明が解決しようとする課題】
【０００４】
ところで、画像を投写する表示装置においては、壁や天井に取り付けるタイプの表示装置がある。このタイプの表示装置において、表示装置の向きを変更すれば、室内で任意の場所に映像を投写することができる。任意の場所に画像を投写する場合、例えば、装置より下方の壁面や床面において画像の位置や傾きを調整することとなるが、特許文献１の表示装置の場合、角度センサ基準線は、装置を水平にするための基準線であるため、画像が投写される位置において、画像の傾きを補正するための基準線を表示することができない。
【０００５】
本発明は、画像を投写する本体部の傾きによらず、画像の投写位置の基準となる画像を任意の位置に表示できるようにすることを目的とする。
【課題を解決するための手段】
【０００６】
本発明は、取付部と、画像を投写する本体部と、前記取付部と前記本体部とを連結し、前記画像の投写位置を変更可能に前記本体部を支持する支持部と、前記取付部に設けられ、前記画像の投写位置の基準となる画像を表示する基準画像表示部と、を有するプロジェクターを提供する。
このプロジェクターによれば、画像を投写する本体部の傾きによらず、画像の投写位置の基準となる画像を任意の位置に表示することができる。
【０００７】
本発明においては、前記取付部は、前記本体部に電力を供給する電源部を有する構成としてもよい。
この構成によれば、本体部に電源部がないため、本体部の重量を軽くし、支持部への負荷を減らすことができる。
【０００８】
本発明においては、前記基準画像表示部が表示する画像は線状であり、前記基準画像表示部が表示した線状の画像の長さは、前記本体部が投写した画像の幅より長い構成としてもよい。
この構成によれば、複数のプロジェクターで複数の画像を投写する際に、複数の画像の位置を投写位置の基準となる画像の位置にそろえることができる。
【０００９】
本発明においては、前記基準画像表示部は、前記取付部に対して脱着可能である構成としてもよい。
この構成によれば、画像の位置の調整を行わないときには基準画像表示部を取り外し、電力の消費を抑えることができる。
【００１０】
本発明においては、前記基準画像表示部は、前記画像が表示される位置を鉛直方向へ移動可能である構成としてもよい。
この構成によれば、投写位置の基準となる画像を鉛直方向へ移動させ、画像の投写位置を鉛直方向で調整することができる。
【００１１】
本発明においては、前記基準画像表示部が表示する画像は線状であり、前記基準画像表示部は、当該画像の水平方向に対する傾きを変更可能である構成としてもよい。
この構成によれば、投写する画像を表示される基準となる画像に沿って傾けて投写することができる。
【００１２】
本発明においては、前記基準画像表示部は、交差した線状の画像を表示する構成としてもよい。
この構成によれば、画像の投写位置を水平方向及び鉛直方向で調整することができる。
【図面の簡単な説明】
【００１３】
【図１】本発明に係るプロジェクター１００の斜視図。
【図２】プロジェクター１００の正面図及び側面図。
【図３】プロジェクター１００のハードウェア構成を示したブロック図。
【図４】壁面に照射される基準光Ｌ１と投写される画像Ｐの位置関係の模式図。
【図５】壁面に照射された基準光Ｌ１と投写された画像Ｐの模式図。
【図６】壁面に照射された基準光Ｌ１と投写された画像Ｐの模式図。
【図７】壁面に照射された基準光Ｌ１と投写された画像Ｐ１〜Ｐ３の模式図。
【発明を実施するための形態】
【００１４】
［実施形態］
図１は、本発明に係るプロジェクター１００の斜視図、図２（ａ）は、プロジェクター１００の正面図、図２（ｂ）は、プロジェクター１００の側面図である。なお、図１及び図２においては、プロジェクター１００が取り付けられるダクトレール２００も図示している。
【００１５】
ダクトレール２００は、プロジェクター１００へ電力を供給するレールであり、例えば、ＪＩＳ  Ｃ８３６６規格のライティングダクトに相当する。ダクトレール２００は、天井面、壁面又は床面に設置される。図１には理解の便宜のため、ダクトレール２００の断面を図示しているが、ダクトレール２００は末端が開口していなくてもよい。ダクトレール２００には、プロジェクター１００や照明器具が取り付けられる。ダクトレール２００は、商用電源に接続され、取り付けられた照明器具やプロジェクター１００に電力を供給する。
【００１６】
中空のダクトレール２００は、長手方向に沿って延びる開口２０１を有し、この開口２０１から差し込まれるコネクター等を支持する。ダクトレール２００が天井面に固定された場合、開口２０１は下向きとなり、下方からプロジェクター１００や照明器具等を取り付けて吊り下げることができる。ダクトレール２００は壁面に固定してもよく、この場合、開口２０１の向きは水平方向となり、横からプロジェクター１００や照明器具等を取り付けて固定できる。
【００１７】
ダクトレール２００は、ダクトレール２００の本体の長手方向に沿った一対の導体２０５Ａ、２０５Ｂを内部に有する。導体２０５Ａ、２０５Ｂは棒状又は帯状に成形された導電性を有する金属からなり、一方が商用電源の接地側に接続され、他方が商用電源の非接地側に接続される。また、ダクトレール２００は、開口２０１より幅の広い部材が嵌められる溝２０６Ａ、２０６Ｂを有する。溝２０６Ａ、２０６Ｂは、ダクトレール２００の内部において、開口２０１の両側にあり、この溝２０６Ａ、２０６Ｂに嵌められた物がダクトレール２００によって支持される。
【００１８】
プロジェクター１００は、光源を有し、光源が発した光を変調して画像を投写する装置である。プロジェクター１００は、電源収容部１１０と、本体部１２０と、電源収容部１１０と本体部１２０とを連結するための支持部材１３０とを備える。電源収容部１１０は、細長い略箱形の筐体を有し、この筐体内に電源回路を収容する。電源収容部１１０は、プロジェクター１００をダクトレール２００に取り付けるための取付部の一例である。本体部１２０は、略箱形の筐体を有し、この筐体内に、画像を投写するための各種回路や投写光学系を収容する。なお、本体部１２０の筐体の形状は、箱形に限定されるものではなく、例えば、円筒形状や多角柱の形状など、他の形状であってもよい。
【００１９】
支持部材１３０の上端は、電源収容部１１０の底面に連結されている。支持部材１３０は、中心軸周りで矢印Ａ方向と矢印Ｂ方向へ回転する。支持部材１３０の下端には、支持部材１３０と本体部１２０とを連結する連結部１３１が取り付けられている。連結部１３１は、支柱１３１Ａ、ボール１３１Ｂ及びフランジ１３１Ｃで構成されている。連結部１３１においては、支柱１３１Ａの一端に球状のボール１３１Ｂが取り付けられ、他端にフランジ１３１Ｃが取り付けられている。つまり、連結部１３１は、自由雲台と同じ構成を有している。ボール１３１Ｂは、支持部材１３０の内部に挿入されており、フランジ１３１Ｃは、本体部１２０の上面に取り付けられる。支持部材１３０内にて支持されているボール１３１Ｂは、支持部材１３０内部にて自在に回転する構成となっているため、フランジ１３１Ｃに取り付けられる本体部１２０の鉛直方向の向きや本体部１２０の水平方向に対する傾きを変えて固定することができる。支持部材１３０及び連結部１３１は、本体部１２０を支持する支持部を構成する。
【００２０】
電源収容部１１０は、ダクトレール２００に連結されるコネクター１１５を筐体の上面側に有しており、本体部１２０へ接続され、本体部１２０へ電力を供給するケーブル１０５を筐体の下面側に有している。また、電源収容部１１０は、画像の投写位置の基準線となる線状の画像を表示するためのレーザー光を出力する開口部１１８を正面に有している。電源収容部１１０においては、筐体の下面に支持部材１３０が配置されており、支持部材１３０の中心軸と、コネクター１１５の中心軸が一致している。コネクター１１５は、角柱の形状で電源収容部１１０の上面から上向きに突出している。コネクター１１５の側面には、一対の板状部１１６Ａ、１１６Ｂ及び一対の導体１１７Ａ、１１７Ｂが、水平方向に沿って設けられている。
【００２１】
板状部１１６Ａ、１１６Ｂは平板状に成形され、導体１１７Ａ、１１７Ｂは、導電性を有する金属を平板状に成形して構成されている。図２（ａ）及び図２（ｂ）に示すように、板状部１１６Ａ、１１６Ｂは、コネクター１１５から互いに反対方向に突出し、導体１１７Ａ、１１７Ｂは、コネクター１１５から互いに反対方向に突出している。すなわち、板状部１１６Ａ、１１６Ｂ及び導体１１７Ａ、１１７Ｂは、電源収容部１１０の前後方向（短手方向）に突出していて、電源収容部１１０の筐体の左右方向（長手方向）に対し直交している。
【００２２】
プロジェクター１００をダクトレール２００に取り付ける場合、コネクター１１５が開口２０１に差し込まれる。コネクター１１５を開口２０１に差し込むとき、コネクター１１５は、板状部１１６Ａ、１１６Ｂ及び導体１１７Ａ、１１７Ｂがダクトレール２００の長手方向に沿った向きで、開口２０１に差し入れられる。板状部１１６Ａ、１１６Ｂ及び導体１１７Ａ、１１７Ｂがダクトレール２００の内部に入ってから、電源収容部１１０を、コネクター１１５の中心軸を中心にして９０度回転させると、コネクター１１５がダクトレール２００に接続される。
【００２３】
電源収容部１１０を回転させることにより、導体１１７Ａ、１１７Ｂがダクトレール２００の導体２０５Ａ、２０５Ｂに接触する。導体１１７Ａ、１１７Ｂは、コネクター１１５の内部に埋設された導体（図示略）を介して、電源収容部１１０に収容された電源回路に接続されている。このため、コネクター１１５がダクトレール２００に接続されると、導体２０５Ａ、２０５Ｂから導体１１７Ａ、１１７Ｂを介して電源収容部１１０に電力が供給され、プロジェクター１００が動作可能となる。
【００２４】
また、電源収容部１１０を回転させることにより、板状部１１６Ａ、１１６Ｂが溝２０６Ａ、２０６Ｂに填まり込み、板状部１１６Ａ、１１６Ｂを介してコネクター１１５がダクトレール２００に固定される。プロジェクター１００を天井に設けられたダクトレール２００に取り付けた状態では、プロジェクター１００の全体がコネクター１１５を介してダクトレール２００により支持される。
【００２５】
このように、コネクター１１５を設けたことで、電源収容部１１０を容易にダクトレール２００に取り付けることができる。電源収容部１１０をダクトレール２００に取り付けた状態では、電源収容部１１０の筐体の長手方向と、ダクトレール２００の長手方向とが一致して平行になる。このため、電源収容部１１０がダクトレール２００と一体に見え、目立たないという利点がある。
【００２６】
本体部１２０の正面には、投写口１２８が設けられている。投写口１２８は、画像を投写するための変調された光が通過する開口であり、レンズ等が取り付けられている。プロジェクター１００を、天井面に取り付けられたダクトレール２００に固定すると、支持部材１３０を回転させることで、投写口１２８が向いている方向、即ち、画像の投写方向を水平方向で変更できる。また、連結部１３１で本体部１２０の鉛直方向の向きを変えることにより、画像の投写方向を鉛直方向で変更でき、連結部１３１で本体部１２０の水平方向に対する傾きを変えることにより、画像の傾きを変更できる。
【００２７】
次に、本体部１２０の構成について、図３を用いて説明する。図３は、プロジェクター１００のハードウェア構成を示したブロック図である。
電源収容部１１０は、電源回路２１と、基準光照射部２２とを備えている。電源回路２１は、コネクター１１５に設けられた導体１１７Ａ、１１７Ｂから、電力の供給を受ける。電源回路２１は、プロジェクター１００の各部に必要な電力を供給する電源部の一例であり、電力を供給するため、交流−直流変換回路やトランス、スイッチング回路などを備えている。電源回路２１は、プロジェクター１００の各部へケーブル１０５を介して電力を供給する。
【００２８】
基準光照射部２２は、ジンバル機構（図示略）と、レーザー光がミラーにより投写面において線状の画像として表示されるように出力する光出力部（図示略）を備えている。基準光照射部２２は、所謂レーザー墨出し器と同様に、ジンバル機構により光出力部を水平に保ち、光出力部からレーザー光（以下、説明の便宜上、基準光と称する）を出力して、画像の投写位置の基準線となる線状の画像を表示する。基準光照射部２２は、制御部１１に接続されており、制御部１１からの制御により、出力する基準光の鉛直方向の位置を変更できる。基準光照射部２２は、本体部１２０が照射する画像の投写位置の基準となる画像を表示する基準画像表示部の一例である。
【００２９】
本体部１２０は、制御部１１、記憶部１２、操作部１３、投写部１４を備える。また、本体部１２０は、画像処理部１５、インターフェース部１６及び通信部１８を備える。制御部１１は、ＣＰＵ（Central Processing Unit）、ＲＯＭ（Read Only Memory）及びＲＡＭ（Random Access Memory）を備えたマイクロコンピューターである。ＲＯＭに記憶されているプログラムをＣＰＵが実行すると、制御部１１が各部を制御し、画像を投写する機能や、基準光を出力する機能などの各種機能が実現する。記憶部１２は、不揮発性メモリを備えており、投写する画像の画像データや、投写する画像の画質に係る設定値、各種機能の設定に係る情報などを記憶する。
【００３０】
通信部１８は、無線通信のインターフェースを有する。通信部１８は、外部装置と無線通信を行い、画像データを取得する。通信部１８が取得した画像データは、記憶部１２に記憶される。操作部１３は、プロジェクター１００を操作するための複数のボタンを備えている。操作されたボタンに応じて制御部１１が各部を制御することにより、投写する画像の調整や、基準光の出力、基準光の表示位置の調整などが行われる。
【００３１】
インターフェース部１６は、メモリーカードなどの記録媒体が挿入されるスロットを有している。インターフェース部１６は、記録媒体に記憶されている画像データを読み出し、読み出した画像データを画像処理部１５へ供給する。
【００３２】
画像処理部１５は、インターフェース部１６から供給される画像データを取得する。また、画像処理部１５は、プロジェクター１００を操作するためのＧＵＩ（Graphical User Interface）やプロジェクター１００の状態などを表示するオンスクリーン画像の画像データを制御部１１から取得する。画像処理部１５は、画質調整などの複数の画像処理機能を備えており、インターフェース部１６から供給された画像データに画像処理を施し、投写する画像の映像信号を投写部１４へ供給する。また、画像処理部１５は、制御部１１からオンスクリーン画像の画像データが供給された場合には、オンスクリーン画像を重畳した映像信号を投写部１４へ供給する。
【００３３】
画像を投写する投写部１４は、光源１４１、ライトバルブ１４２、駆動回路１４４及び投写光学系１４３を有している。光源１４１は、光を発するランプであり、光源１４１が発した光は、図示省略した複数のダイクロイックミラーやミラーによって赤、緑、青の光に分光され、分光された赤、緑、青のそれぞれの光はライトバルブ１４２に導かれる。なお、光源１４１は、ランプではなく、発光ダイオード又はレーザー光を発する半導体レーザー装置であってもよい。
【００３４】
駆動回路１４４は、画像処理部１５から供給される映像信号を取得する。駆動回路１４４に供給される映像信号は、投写する映像における赤の成分の階調を表す階調データ、投写する映像における緑の成分の階調を表す階調データ及び投写する映像における青の成分の階調を表す階調データを有する。駆動回路１４４は、赤、緑、青の各色の階調データを抽出し、抽出した各色の階調データに基づいてライトバルブ１４２を駆動する。
【００３５】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した画像となる。液晶ライトバルブを透過した赤、緑、青の光による画像は、図示省略したダイクロイックプリズムにより合成されて投写光学系１４３に入射する。投写光学系１４３は、入射した画像を拡大する光学系であり、入射した画像をレンズやミラーによって拡大して投写する。
【００３６】
図４は、プロジェクター１００が画像の投写と基準光の出力とを行っている状態を示す側面図であり、図５は、投写された画像と照射された基準光とを示す正面図である。
プロジェクター１００から投写される画像の投写位置を調整する際には、まず、ユーザーは、操作部１３を操作し、基準光を電源収容部１１０から出力させる。図４に示したように、ユーザーの操作に応じて基準光照射部２２が基準光Ｌ１を出力すると、図５に示したように、水平な線状の画像である基準光Ｌ１が壁面（投写面）に照射される。ここで、基準光Ｌ１の水平方向の長さは、例えば図５に示したように、プロジェクター１００が投写する画像Ｐの水平方向の幅より広い長さとなっている。
【００３７】
次に、ユーザーは、鉛直方向において画像を投写するときの基準となる位置に基準光Ｌ１が照射されるように、操作部１３を操作する。ユーザーが操作部１３を操作すると、制御部１１により基準光照射部２２が制御され、基準光Ｌ１の照射位置が上方向（図５の矢印Ｃ方向）又は下方向（図５の矢印Ｄ方向）へ移動する。ユーザーは、基準光Ｌ１の鉛直方向の照射位置の設定を終了すると、基準光Ｌ１と画像Ｐの上端とが重なるように連結部１３１を動かし、画像Ｐの鉛直方向の投写位置や傾きを調整する。また、ユーザーは、支持部材１３０を回転させることにより画像Ｐの水平方向の投写位置を調整する。
【００３８】
図６は、画像Ｐの鉛直方向、水平方向及び傾き調整し終えた後の状態を示した図である。画像Ｐの表示位置及び傾きの調整が終了すると、ユーザーは、操作部１３を操作し、基準光の出力を停止させる。
なお、本発明においては、複数台のプロジェクター１００をダクトレール２００に取り付け、複数の画像を壁面に投写するようにしてもよい。
【００３９】
図７は、複数の画像を基準光Ｌ１にそろえて投写した例を示した図である。複数の画像を投写する場合、一台のプロジェクター１００から基準光Ｌ１を出力させ、各プロジェクター１００から投写される画像Ｐ１〜Ｐ３を基準光Ｌ１にそろえて投写することができる。
【００４０】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００４１】
上述した実施形態においては、操作部１３に対してなされた操作に応じて制御部１１が基準光照射部２２を制御し、基準光Ｌ１の表示位置を調整しているが、基準光Ｌ１の表示位置を調整する構成は、この構成に限定されるものではない。
例えば、基準光照射部２２にジンバル機構を設けない構成とし、鉛直方向に対する光出力部の傾きや水平方向に対する光出力部の傾きをモーター制御により変更できる構成としてもよい。この構成によれば、例えば、基準光Ｌ１を水平方向に対して傾斜させ、複数の画像を斜め方向にそろえて投写することが可能となる。
また、鉛直方向に対する光出力部の傾きや水平方向に対する光出力部の傾きを変更できる構成としては、モーター制御ではなく、電源収容部１１０に設けたつまみを操作することにより機械的に傾きを変更する構成としてもよい。
【００４２】
上述した実施形態においては、本体部１２０に設けられた操作部１３を操作することにより、基準光Ｌ１の出力や基準光Ｌ１の位置調整が行われているが、例えば、赤外光を用いるリモートコントローラーで本体部１２０を操作する構成とし、リモートコントローラーを操作することにより、基準光Ｌ１の出力や基準光Ｌ１の位置調整を行う構成としてもよい。
【００４３】
上述した実施形態においては、ユーザーが手で本体部１２０を動かして画像Ｐの位置を調整しているが、この構成に限定されるものではない。例えば、本体部１２０の水平方向への回転や鉛直方向への回転、水平方向に対する傾きの調整などを、例えばモーターの駆動力を用いて電動で行うようにしてもよい。また、電動で本体部１２０の水平方向への回転や鉛直方向への回転、水平方向に対する傾きなどを行う場合には、リモートコントローラーで本体部１２０を操作して行うようにしてもよい。また、所謂レンズシフト機能により、投写する画像の位置を調整するようにしてもよい。
また、電動で本体部１２０の水平方向への回転や鉛直方向への回転、水平方向に対する傾きなど調整する構成においては、ユーザーが操作部１３やリモートコントローラーを用いて調整する構成に限定されるものではない。例えば、本体部１２０又は電源収容部１１０に撮像素子を設け、基準光Ｌ１と、投写される画像Ｐを撮像素子により撮像する。制御部１１は、撮像素子で得られた画像を解析して基準光Ｌ１と画像Ｐとの位置関係を特定し、基準光Ｌ１と画像Ｐの上端とが重なるように、電動で本体部１２０の水平方向への回転や鉛直方向への回転、水平方向に対する傾きなどを調整してもよい。
【００４４】
上述した実施形態においては、線状に表示される基準光Ｌ１は、その長手方向が水平方向に沿った方向となっているが、基準光Ｌ１の長手方向は鉛直方向であってもよい。また、基準光Ｌ１の長手方向を鉛直方向とする場合、基準光Ｌ１を水平方向に複数並べて壁面に照射するようにしてもよい。また、壁面に照射する基準光は、水平方向に伸びた基準光と鉛直方向に伸びた基準光とを直交させたものであってもよい。
【００４５】
上述した実施形態においては、天井面や壁面に配置されたダクトレール２００にプロジェクター１００が取り付けられて固定されるが、プロジェクター１００をブラケットで天井面や壁面に取り付けるようにしてもよい。
【００４６】
上述した実施形態においては、基準光照射部２２は、電源収容部１１０の内部に収容されているが、例えば、電源収容部１１０の筐体の上面又は下面に基準光照射部２２を配置し、基準光照射部２２を水平方向に回転可能な構成としてもよい。この構成によれば、電源収容部１１０の正面側にある壁面だけでなく、背面側にある壁面や側面側にある壁面にも基準光Ｌ１を照射することができる。また、電源収容部１１０の筐体の外側に基準光照射部２２を設ける構成においては、基準光照射部２２を電源収容部１１０に対して脱着できるようにしてもよい。
【００４７】
上述した実施形態においては、コネクター１１５を有する筐体内に電源回路２１と基準光照射部２２が設けられているが、電源回路２１を本体部１２０の内部に設ける構成としてもよい。
【００４８】
上述した実施形態においては、光源１４１の光を変調するのは液晶ライトバルブであったが、光を変調するものは、液晶ライトバルブに限定されるものではなく、例えば、ＤＭＤ（Digital Mirror Device）としてもよい。
【００４９】
上述した実施形態においては、投斜面に照射される基準光Ｌ１は、レーザー光であるが、基準光照射部２２により投写面に表示される基準光Ｌ１は、レーザー光に限定されるものではない。例えば、基準光照射部２２は、光源からの光をライトバルブで変調して基準光Ｌ１の画像を形成し、ライトバルブで形成された基準光Ｌ１の画像を投写面に投写する構成であってもよい。
【符号の説明】
【００５０】
１１…制御部、１２…記憶部、１３…操作部、１４…投写部、１５…画像処理部、１６…インターフェース部、１８…通信部、２１…電源回路、２２…基準光照射部、１００…プロジェクター、１０５…ケーブル、１１０…電源収容部、１１５…コネクター、１１６Ａ、１１６Ｂ…板状部、１１７Ａ、１１７Ｂ…導体、１１８…開口部、１２０…本体部、１２８…投写口、１３０…支持部材、１３１…連結部、１３１Ａ…支柱、１３１Ｂ…ボール、１３１Ｃ…フランジ、２００…ダクトレール、２０１…開口、２０５Ａ、２０５Ｂ…導体、２０６Ａ、２０６Ｂ…溝、Ｌ１…基準光、Ｐ、Ｐ１〜Ｐ３…画像
【図１】
0006459547.tif 000002
【図２】
0006459547.tif 000003
【図３】
0006459547.tif 000004
【図４】
0006459547.tif 000005
【図５】
0006459547.tif 000006
【図６】
0006459547.tif 000007
【図７】
0006459547.tif 000008